(57)【特許請求の範囲】
【請求項１】
２本以上のニクロム線を長さ方向に沿って編み合わせた合成樹脂製容器切断用の第１次電熱線複数本を，箱体内上部に一方の側壁側から他方の側壁側に向かって並行状に漸次下方に傾斜して配設し、この第１次電熱線の傾斜方向下側部位の下方箱体内下部に，第１次電熱線と交叉方向にそれと同一素材構成の第２次電熱線複数本を並行して配設するとともに、第１次電熱線と第２次電熱線との間に，第１次電熱線の抵抗熱により加熱切断された合成樹脂製容器の細片を第２次電熱線上に落下案内せしめるガイドシュ−トを配設したことを特徴とする合成樹脂製容器の切断装置。
【請求項２】
第１次電熱線と第２次電熱線の通電回路に，電流センサ−等によりその断線を検知し表示ランプにて表示する断線検知装置を付設せしめたことを特徴とする請求項１記載の合成樹脂製容器の切断装置。
【請求項３】
箱体内に，合成樹脂製容器の加熱切断時に生ずる煙や臭気を除去する活性炭入りの脱臭フィルタ−等による脱臭装置を付設せしめたことを特徴とする請求項１又は２記載の合成樹脂製容器の切断装置。
【発明の詳細な説明】
【０００１】
【発明の属する技術分野】
本発明は、ペットボトル，小分け食品収容容器等の合成樹脂製容器を細かく加熱切断して小容積となし再利用に供せしめるための加熱切断作業を能率よく行う合成樹脂製容器の切断装置に関するものである。
【０００２】
【従来の技術】
従来においてペットボトル等の使用済み合成樹脂製容器の処分方法は、ゴミとして廃棄処理する，プレス機で潰して細片にする，焼却処理する等の種々の方法が採られているが、処理に多大な手間がかかる，大掛かりな装置を必要とする，焼却時の煙や臭気の処理に困る等の難点があり、また再利用に供するために好適なものがなかった。
【０００３】
【発明が解決しようとする課題】
そこで本発明は、ニクロム線を用いた特殊構造の電熱線を利用して，ペットボトル等の合成樹脂製容器を手軽に能率よく細かく加熱切断して小容積となしそれを再利用に供せしめることができる装置を提供することを目的とする。  またその加熱切断時に生ずる煙や臭気の脱臭を確実に行い得ることを他の目的とする。
【０００４】
【課題を解決するための手段】
本発明は上記のニクロム線を利用した合成樹脂製容器の加熱切断の作業能率を向上させるとの目的を達成するために、２本以上のニクロム線を長さ方向に沿って編み合わせた合成樹脂製容器切断用の第１次電熱線複数本を，箱体内上部に一方の側壁側から他方の側壁側に向かって並行状に漸次下方に傾斜して配設し、この第１次電熱線の傾斜方向下側部位の下方箱体内下部に，第１次電熱線と交叉方向にそれと同一素材構成の第２次電熱線複数本を並行して配設するとともに、第１次電熱線と第２次電熱線との間に，第１次電熱線の抵抗熱により加熱切断された合成樹脂製容器の細片を第２次電熱線上に落下案内せしめるガイドシュ−トを配設したことを特徴とする。
【０００５】
その際，複数本の第１次電熱線と第２次電熱線の通電回路に，電流センサ−等によりその断線を検知し表示ランプにて表示する断線検知装置を付設して、加熱切断の作業能率の一層の向上を図る場合がある。
【０００６】
更に，加熱切断時に生ずる煙や臭気の処理を適切に図るとの上記の他の目的を達成するために、箱体内に，その煙や臭気を除去する活性炭入りの脱臭フィルタ−等による脱臭装置を付設する場合もある。
【０００７】
【発明の実施の形態】
別紙図面を参照して，本発明の実施の形態の一例について説明する。  図１は本発明による装置の要部の縦断正面図、図２は同じくその要部の縦断側面図である。
【０００８】
１は、前後左右四周を側面壁にて囲んだ箱体で、この箱体１内上部には、２本のニクロム線を長さ方向に沿って編み合わせた合成樹脂製容器切断用の第１次電熱線２複数本（図ではペットボトルＡの長さに対応して６本）が、前後方向の側面壁間に，図では後面壁１ａから前面壁１ｂに向かって並行状に下方に緩やかに傾斜して配設されている。  前記各電熱線２は、両端部を圧着端子にて固定し，その一対の圧着端子を夫々反対方向にスプリングにて引張することによって，弛まないように壁面間に張設されている。一対の圧着端子は碍子やベ−クライト等の絶縁材にて壁面に取付け保持されている。
【０００９】
前記６本の第１次電熱線２の傾斜方向下側部位下方の前面壁１ｂ寄りの箱体１内下部には、第１次電熱線２と交叉方向即ちそれと直交する方向の左右の側面壁１ｃ，１ｄ間に、４本の第２次電熱線３が並行して配設されている。  第２次電熱線３の素材と構造
（構成）及び張設方法は、第１次電熱線と同様である。
【００１０】
そして，第１次電熱線２と第２次電熱線３との間には、第１次電熱線２の抵抗熱により加熱切断された合成樹脂製容器Ａの細片を第２次電熱線３上に落下案内せしめるガイドシュ−ト４が配設されている。  即ちガイドシュ−ト４は、図２に示す如く、第１次電熱線２の下方の部位の箱体１内において，後面壁１ａから前面壁１ｂ側に向かって漸次下方に傾斜する傾斜片４ａと，この傾斜片４ａの第２次電熱線３寄りの先端部から下方の底面壁１ｅに向かって垂下する垂下片４ｂとからなっている。
なお，図示は省略するが、箱体１下側部の適当な位置に、加熱切断された合成樹脂製容器の切断細片を取り出す取り出し口が設けられている。
【００１１】
また，第１次電熱線２と第２次電熱線３の通電回路には、電流センサ−を介した電流値の低下（電流変化）の検知等により電熱線の断線を検出し表示ランプにて表示する断線検知装置（図示せず）を付設しておく。  電熱線２，３は複数本を用いているので、その内の一部が断線しても残りの一部が電熱線及び信号連絡線として活用される。
更に，箱体１の適宜位置に、活性炭入りの脱臭フィルタ−等の脱臭装置（図示せず）を配設しておくことにより、合成樹脂製容器Ａの加熱切断時に生ずる煙や臭気を確実に除去する。
【００１２】
合成樹脂製容器Ａを加熱切断するニクロム線利用の電熱線としては、上記の例では箱体１内の上部と下部に二段（１次と２次）に亘って配設するものを示したが、第２次電熱線３の下方に第３次電熱線を設ける等その配設段数は適宜複数段に亘って差し支えない。  そして，加熱切断する合成樹脂製容器としては、上記に示した筒状のペットボトルＡに限らず、皿状の小分け食品収容容器等であっても良い。
【００１３】
しかして，別紙図面を参照して、合成樹脂製容器としてのペットボトルＡを加熱切断により細片状に切断して小容積となす要領について説明する。
あらかじめ第１次電熱線２と第２次電熱線３に通電してこれを発熱状態となしておき、図１の如く、ペットボトルＡを６本の第１次電熱線２の傾斜方向上側部側（高所側）（箱体１の後面壁１ａ寄り）の上に横に寝かせた状態で配置する。するとペットボトルＡは、傾斜状の第１次電熱線２上をそれに沿って緩やかに回転（円周方向に自転）してその円周方向に沿って漸次加熱切断されながら次第にゆっくりと手前側（前面壁１ｂ寄り）に向かって転がり落ち、第１次電熱線２の傾斜方向下側部側に達したときには、第１次電熱線２の抵抗熱による継続的な加熱によって６個の細片（ピ−ス）Ｂに分割切断（輪切り）されて、その下方に自由落下する。  ６個の輪切り片Ｂの落下方向下側には、４本の第２次電熱線３が上方の第１次電熱線２と交叉する方向に並行して配設されているので、６個の輪切り片Ｂはその上に跨がるように落下していく状態となり、複数本の第２次電熱線３の抵抗熱により更に複数の細片に分割切断されて落下していき、箱体１下面の底面壁１ｅ上に堆積されることとなる。堆積された多数の切断細片は、適宜取り出し口より回収されて再利用に供される。  この二段階に亘る加熱切断により、ペットボトルＡは最初の容積の１／８程度の小容積となる。
第１次電熱線２上を転動しながら加熱されるペットボトルＡが輪切り状に切断されるに至るまでの時間には加熱部位によって多少のバラツキが生じ、第１次電熱線２の傾斜方向下側部位に到達する前に輪切り状に加熱切断されて落下する部分も考えられるが、この場合には図２に示す如く、落下方向下側にガイドシュ−ト４が配設されているので、早く落下した輪切り片Ｂはこのガイドシュ−ト４に当たって転げ落ち第２次電熱線３上に落下するように案内される。
【００１４】
ペットボトルＡの口金部は再利用に適しないので、第１次電熱線２上に横臥状態に配置する際に、図１に示す如く、この部分は箱体１の外部に位置するようにセットしておき廃棄処分に付する。
電熱線は２本以上のニクロム線を編み合わせているので、その内の一部が断線したような場合にも加熱切断に支障はなく、その断線状態はセンサ−や表示ランプにより検知・表示されるので、直ちにそれに対処することができる。
加熱切断時に生じる煙や臭気は、活性炭入り等の脱臭装置により除去されて外部に漏れることがない。
【００１５】
【発明の効果】
本発明は、上記の構成となしたので、上述の従来技術の難点を解消し、以下に示す特有の効果を奏する。
【００１６】
請求項１に係る発明においては、
ａ．箱体とニクロム線利用の第１次及び第２次電熱線とガイドシュ−トという極めて簡潔な構造の装置により、ペットボトル等の合成樹脂製容器を細片状に細かく加熱切断して小容積となすというその加熱切断作業を手軽に能率よく行うことができ、その切断細片を的確に再利用（リサイクル）に供することができる。
ｂ．第１次電熱線は漸次下方に傾斜して配設されているので、合成樹脂製容器はその上を転動降下しながら加熱されていき、一定位置で止まったまま加熱されることはなく、従って合成樹脂製容器の定点接触による電熱線の温度低下が防止され、加熱切断効率が良好である。
ｃ．その電熱線は２本以上のニクロム線を長さ方向に沿って編み合わせて形成しているので、その適度な摩擦と電熱線の傾斜角度が緩やかに設定されていることと相まって合成樹脂製容器の転動降下速度を適度なゆっくりとしたものとなすことができ、加熱切断を効果的におこなうことができる。
また、複数本のニクロム線を用いているので、その内の一部が断線しても他の部分により加熱切断を中断することなく行うことができ好適である。
ｄ．第１次電熱線の抵抗熱による合成樹脂製容器の第１段階の加熱切断にはその部位により多少の時間的バラツキ（加熱切断時間の遅速）があっても、ガイドシュ−トにより全ての第１次切断細片は確実に第２次電熱線上に落下案内されて次の加熱切断に供される。
【００１７】
請求項２に係る発明では、センサ−と表示ランプにより電熱線の一部の断線が的確に検知・表示されるので、断線した電熱線の交換等直ちにそれに対処して加熱切断作業を続けることができ、一層好適である。
【００１８】
請求項３に係る発明では、加熱切断時に生ずる煙や臭気は脱臭装置により的確に除去されて外部に漏れることがないので、更に好適である。
【図面の簡単な説明】
【図１】本発明実施の形態の一例に係る装置の縦断正面図である。
【図２】同上の縦断側面図である。
【符号の説明】
１    箱体
１ａ  後面壁
１ｂ  前面壁
１ｃ  左側面壁
１ｄ  右側面壁
１ｅ  底面壁
２    第１次電熱線
３    第２次電熱線
４    ガイドシュ−ト
４ａ  傾斜片
４ｂ  垂下片
Ａ    ペットボトル（合成樹脂製容器の一例）
Ｂ    第１次電熱線により加熱切断されたペットボトルの輪切り片
【図１】
0003624337.tif 000002
【図２】
0003624337.tif 000003